(57)【要約】【課題】多様な印刷レイアウトを作成することが可能な画像形成装置およびそれに関連する技術を提供する。【解決手段】コンピュータにおけるソフトウエアドライバは、メモページ挿入指定を含む印刷指定を受け付ける手順と、印刷対象原稿内の複数の原稿ページのそれぞれに対応する各メモページを作成する手順（ステップＳ６８）と、用紙内に複数のページを縮小して配置するレイアウトを生成する手順であって、用紙内の複数のページ配置領域において、各メモページを、当該各メモページに対応する各原稿ページにそれぞれ隣接して配置したレイアウトを生成する手順（ステップＳ６９）とを実行する。【選択図】図７
2010026908.tif 000002
【特許請求の範囲】
【請求項１】
コンピュータに、
a)メモページ挿入指定を含む印刷指定を受け付ける手順と、
b)印刷対象原稿内の複数の原稿ページのそれぞれに対応する各メモページを作成する手順と、
c)用紙内に複数のページを縮小して配置したレイアウトを生成する手順であって、前記用紙内の複数のページ配置領域において、前記各メモページを、当該各メモページに対応する各原稿ページにそれぞれ隣接して配置したレイアウトを生成する手順と、
を実行させるためのプログラム。
【請求項２】
請求項１に記載のプログラムにおいて、
前記手順c)は、
c-1)前記複数のページ配置領域を原稿領域とメモ領域とに分類し、前記各原稿ページを前記原稿領域内のページ配置領域に配置するとともに、前記各メモページを、前記メモ領域内のページ配置領域であって各対応原稿ページに隣接するページ配置領域に配置することによって、前記各原稿ページと前記各メモページとを一対一に対応させて前記用紙内に配置する手順、
を有することを特徴とするプログラム。
【請求項３】
請求項１に記載のプログラムにおいて、
前記手順a)は、
a-1)原稿ページの向きと用紙内におけるページ配置領域の配置数との組み合わせに応じて、原稿ページに対するメモページの位置に関して、設定可能な選択肢を提示する手順と、
a-2)前記手順a)で提示された選択肢を指定対象として、前記メモページの位置に関する指定を受け付ける手順と、
を有することを特徴とするプログラム。
【請求項４】
請求項１に記載のプログラムにおいて、
印刷対象原稿内に空白ページが含まれている場合には、
前記手順b)において、当該空白ページを前記複数の原稿ページから除外した状態で、前記複数の原稿ページのそれぞれに対応する各メモページを作成し、
前記手順c)において、前記空白ページを前記複数の原稿ページから除外した状態で、前記各メモページを、当該各メモページに対応する前記各原稿ページにそれぞれ隣接して配置することを特徴とするプログラム。
【請求項５】
画像形成装置であって、
メモページ挿入指定を含む印刷指定を受け付ける受付手段と、
印刷対象原稿内の複数の原稿ページのそれぞれに対応する各メモページを作成するメモページ作成手段と、
用紙内に複数のページを縮小して配置するレイアウトであって、前記用紙内の複数のページ配置領域において、前記各メモページを、当該各メモページに対応する各原稿ページにそれぞれ隣接して配置したレイアウトを生成するレイアウト作成手段と、
を備えることを特徴とする画像形成装置。
【請求項６】
コンピュータに、
a)メモページ挿入指定を含む印刷指定を受け付ける手順と、
b)印刷対象原稿内の複数の原稿ページのそれぞれに対応する各メモページを作成する手順と、
c)小冊子印刷における複数のページ配置領域において、前記各メモページと当該各メモページに対応する各原稿ページとを小冊子における見開き範囲内にて隣接して配置したレイアウトを生成する手順と、
を実行させるためのプログラム。
【請求項７】
請求項６に記載のプログラムにおいて、
前記手順c)は、
c-1)小冊子印刷における前記複数のページ配置領域に関するページ配置順序にしたがって前記各原稿ページと前記各メモページとを交互に前記複数のページ配置領域に配置する手順、
を有することを特徴とするプログラム。
【請求項８】
請求項６に記載のプログラムにおいて、
印刷対象原稿内に空白ページが含まれている場合には、
前記手順b)において、当該空白ページを前記複数の原稿ページから除外した状態で、前記複数の原稿ページのそれぞれに対応する各メモページを作成し、
前記手順c)において、前記空白ページを前記複数の原稿ページから除外した状態で、前記各メモページを、当該各メモページに対応する前記各原稿ページにそれぞれ隣接して配置することを特徴とするプログラム。
【請求項９】
請求項６に記載のプログラムにおいて、
前記手順b)は、
b-1)前記複数の原稿ページのうち第２原稿ページ以後の各原稿ページに対応するメモページをそれぞれ作成する手順と、
を有し、
前記手順c)は、
c-1)小冊子印刷における前記複数のページ配置領域に関するページ配置順序にしたがって前記第１原稿ページを配置する手順と、
c-2)前記ページ配置順序にしたがって、前記第２原稿ページ以後の前記各原稿ページと当該各原稿ページに対応する各メモページとを交互に前記複数のページ配置領域に対して配置する手順と、
を有することを特徴とするプログラム。
【請求項１０】
画像形成装置であって、
メモページ挿入指定を含む印刷指定を受け付ける受付手段と、
印刷対象原稿内の複数の原稿ページのそれぞれに対応する各メモページを作成するメモぺージ作成手段と、
小冊子印刷における複数のページ配置領域において、前記各メモページと当該各メモページに対応する各原稿ページとを小冊子における見開き範囲内にて隣接して配置したレイアウトを生成するレイアウト作成手段と、
を備えることを特徴とする画像形成装置。
【発明の詳細な説明】
【技術分野】
【０００１】
本発明は、ＭＦＰなどの画像形成装置、およびそれに関連する技術に関する。
【背景技術】
【０００２】
画像形成装置（プリンタ、ＭＦＰ等）において、複数の画像（原稿）を１枚の用紙内に配置して印刷する技術が存在する。具体的には、１枚の用紙が複数の区分領域（ページ配置領域とも称する）に区分され、複数の画像のそれぞれが各区分領域に配置される。このようなレイアウト処理は、Ｎｉｎ１形式（Ｎ枚の原稿を１枚の用紙に配置する形式）によるレイアウト処理とも称される。
【０００３】
また、複数の原稿を１枚の用紙に配置する際に、メモ欄を設ける技術が存在する（例えば特許文献１および特許文献２参照）。
【０００４】
例えば、特許文献１では、Ｎｉｎ１形式での印刷レイアウトにてＰ枚（ただし、Ｐ＜Ｎ）の原稿ページを印刷する場合において、「集約印刷」の設定がなされているときには、１枚の用紙にＰ枚の原稿ページと（Ｎ−Ｐ）枚分のメモページとを集約して印刷することが示されている。具体的には、４ｉｎ１形式による印刷出力を行う場合において、３つの原稿ページに加えて１枚分の空白ページ（メモページ）が１枚の用紙に配置される。より詳細には、１枚の用紙を左上領域と左下領域と右上領域と右下領域とに４等分し、左上領域と左下領域と右上領域とに３枚の原稿のうちの各１枚がそれぞれ配置され、残りの右下領域に１枚分のメモページが配置される。
【０００５】
また、特許文献２では、Ｎｉｎ１形式での印刷レイアウトにおいて、１枚の用紙内に画像形成領域とメモ領域とを設け、画像形成領域内にＮ枚の画像（原稿ページ）を配置する技術が示されている。具体的には、１枚の用紙内において、画像形成領域が上側領域に設けられ、メモ領域が下側領域に設けられる。また、メモ領域は、１枚の用紙内において１つ設けられ、当該メモ領域は複数（Ｎ枚）の画像（原稿ページ）に共通して設けられる。端的に言えば、Ｎｉｎ１形式での印刷レイアウト（換言すれば、Ｎ個の画像を含む画像形成領域の全体）が１枚の用紙内に通常よりも縮小して配置され、その余白にメモ領域が設けられる。例えば、２ｉｎ１形式による印刷出力を行う場合において、２ｉｎ１形式による２つの原稿ページが、通常の２ｉｎ１形式よりも縮小された状態で、１枚の用紙の上側に印刷されるとともに、当該２つの原稿ページの下側に共通の空白領域（メモ領域）が配置される。
【０００６】
【特許文献１】特開２００７−２５９２３号公報
【特許文献２】特開２００６−２６８５１２号公報
【発明の開示】
【発明が解決しようとする課題】
【０００７】
ところで、ユーザは原稿ページごとにメモページを設けることを望むことがある。例えば、４ｉｎ１形式において、各原稿ページに対してそれぞれメモページを配置したいという要求が存在する。同様に、他の形式等においても、各原稿ページに対してそれぞれメモページを配置したいという要求が存在することもある。
【０００８】
しかしながら、特許文献１および特許文献２に記載の技術はいずれも、各原稿ページに対して個別にメモページを設けるものではない。
【０００９】
例えば、特許文献１では、上述のように４ｉｎ１形式において、３枚の原稿ページに対して１枚のメモページしか設けられない。また、特許文献２では、２ｉｎ１形式において、２枚の原稿ページに対して、共通の１つのメモ領域しか設けられない。したがって、これらの従来技術は、上記のような要求を充足することができない。
【００１０】
そこで、この発明は、多様な印刷レイアウトを作成することが可能な画像形成装置およびそれに関連する技術を提供することを課題とする。
【課題を解決するための手段】
【００１１】
上記課題を解決すべく、請求項１の発明は、プログラムであって、コンピュータに、a)メモページ挿入指定を含む印刷指定を受け付ける手順と、b)印刷対象原稿内の複数の原稿ページのそれぞれに対応する各メモページを作成する手順と、c)用紙内に複数のページを縮小して配置したレイアウトを生成する手順であって、前記用紙内の複数のページ配置領域において、前記各メモページを、当該各メモページに対応する各原稿ページにそれぞれ隣接して配置したレイアウトを生成する手順とを実行させるためのプログラムであることを特徴とする。
【００１２】
請求項２の発明は、請求項１の発明に係るプログラムにおいて、前記手順c)は、c-1)前記複数のページ配置領域を原稿領域とメモ領域とに分類し、前記各原稿ページを前記原稿領域内のページ配置領域に配置するとともに、前記各メモページを、前記メモ領域内のページ配置領域であって各対応原稿ページに隣接するページ配置領域に配置することによって、前記各原稿ページと前記各メモページとを一対一に対応させて前記用紙内に配置する手順、を有することを特徴とする。
【００１３】
請求項３の発明は、請求項１の発明に係るプログラムにおいて、前記手順a)は、a-1)原稿ページの向きと用紙内におけるページ配置領域の配置数との組み合わせに応じて、原稿ページに対するメモページの位置に関して、設定可能な選択肢を提示する手順と、a-2)前記手順a)で提示された選択肢を指定対象として、前記メモページの位置に関する指定を受け付ける手順とを有することを特徴とする。
【００１４】
請求項４の発明は、請求項１の発明に係るプログラムにおいて、印刷対象原稿内に空白ページが含まれている場合には、前記手順b)において、当該空白ページを前記複数の原稿ページから除外した状態で、前記複数の原稿ページのそれぞれに対応する各メモページを作成し、前記手順c)において、前記空白ページを前記複数の原稿ページから除外した状態で、前記各メモページを、当該各メモページに対応する前記各原稿ページにそれぞれ隣接して配置することを特徴とする。
【００１５】
請求項５の発明は、画像形成装置であって、メモページ挿入指定を含む印刷指定を受け付ける受付手段と、印刷対象原稿内の複数の原稿ページのそれぞれに対応する各メモページを作成するメモページ作成手段と、用紙内に複数のページを縮小して配置するレイアウトであって、前記用紙内の複数のページ配置領域において、前記各メモページを、当該各メモページに対応する各原稿ページにそれぞれ隣接して配置したレイアウトを生成するレイアウト作成手段とを備える画像形成装置であることを特徴とする。
【００１６】
請求項６の発明は、プログラムであって、コンピュータに、a)メモページ挿入指定を含む印刷指定を受け付ける手順と、b)印刷対象原稿内の複数の原稿ページのそれぞれに対応する各メモページを作成する手順と、c)小冊子印刷における複数のページ配置領域において、前記各メモページと当該各メモページに対応する各原稿ページとを小冊子における見開き範囲内にて隣接して配置したレイアウトを生成する手順とを実行させるためのプログラムであることを特徴とする。
【００１７】
請求項７の発明は、請求項６の発明に係るプログラムにおいて、前記手順c)は、c-1)小冊子印刷における前記複数のページ配置領域に関するページ配置順序にしたがって前記各原稿ページと前記各メモページとを交互に前記複数のページ配置領域に配置する手順、を有することを特徴とする。
【００１８】
請求項８の発明は、請求項６の発明に係るプログラムにおいて、印刷対象原稿内に空白ページが含まれている場合には、前記手順b)において、当該空白ページを前記複数の原稿ページから除外した状態で、前記複数の原稿ページのそれぞれに対応する各メモページを作成し、前記手順c)において、前記空白ページを前記複数の原稿ページから除外した状態で、前記各メモページを、当該各メモページに対応する前記各原稿ページにそれぞれ隣接して配置することを特徴とする。
【００１９】
請求項９の発明は、請求項６の発明に係るプログラムにおいて、前記手順b)は、b-1)前記複数の原稿ページのうち第２原稿ページ以後の各原稿ページに対応するメモページをそれぞれ作成する手順、を有し、前記手順c)は、c-1)小冊子印刷における前記複数のページ配置領域に関するページ配置順序にしたがって前記第１原稿ページを配置する手順と、c-2)前記ページ配置順序にしたがって、前記第２原稿ページ以後の前記各原稿ページと当該各原稿ページに対応する各メモページとを交互に前記複数のページ配置領域に対して配置する手順と、を有することを特徴とする。
【００２０】
請求項１０の発明は、画像形成装置であって、メモページ挿入指定を含む印刷指定を受け付ける受付手段と、印刷対象原稿内の複数の原稿ページのそれぞれに対応する各メモページを作成するメモぺージ作成手段と、小冊子印刷における複数のページ配置領域において、前記各メモページと当該各メモページに対応する各原稿ページとを小冊子における見開き範囲内にて隣接して配置したレイアウトを生成するレイアウト作成手段とを備える画像形成装置であることを特徴とする。
【発明の効果】
【００２１】
請求項１ないし請求項５に記載の発明によれば、用紙内の複数のページ配置領域において各原稿ページと各メモページとを隣接して配置したレイアウトが生成されるので、ユーザの要望を満たすことが可能である。
【００２２】
また、請求項６ないし請求項１０に記載の発明によれば、小冊子印刷における複数のページ配置領域において各原稿ページと各メモページとを隣接して配置したレイアウトが生成されるので、ユーザの要望を満たすことが可能である。
【００２３】
特に、請求項３に記載の発明によれば、原稿ページの向きと用紙内におけるページ配置領域の配置数との組み合わせに応じて、原稿ページに対するメモページの位置に関して、設定可能な選択肢が提示されるので、ユーザによって不適切な配置指示が付与されることを回避できる。
【００２４】
また特に、請求項４および請求項８に記載の発明によれば、不要な空白ページが印刷対象から適切に排除されるとともに、不要なメモページも印刷対象から適切に排除される。
【発明を実施するための最良の形態】
【００２５】
以下、本発明の実施形態を図面に基づいて説明する。
【００２６】
＜１．第１実施形態＞
＜１−１．システム構成概略＞
図１は、マルチ・ファンクション・ペリフェラル（Multi Function Peripheral）（ＭＦＰとも略称する）１とコンピュータ９０とを備えるプリントシステム１００の構成を示す概略図である。
【００２７】
ＭＦＰ１は、画像形成装置として機能する。より具体的には、ＭＦＰ１は、スキャナ機能、プリンタ機能、コピー機能およびファクシミリ通信機能などを備える装置（複合機とも称する）として構成される。
【００２８】
ＭＦＰ１は、ネットワークＮＷを介してコンピュータ９０に接続されており、当該コンピュータ９０との間でデータの送受信が可能である。なお、ネットワークＮＷは、ＬＡＮ（Local Area Network）およびインターネットなどの各種のネットワークを含む。
【００２９】
特に、ＭＦＰ１は、コンピュータ９０からのプリントジョブを実行するプリンタとして機能する。具体的には、コンピュータ９０は、当該コンピュータ９０にインストールされているプリンタドライバ（ソフトウエアプログラム）等を介して、ＭＦＰ１に対してプリントジョブを送信する。一方、ＭＦＰ１は、コンピュータ９０から送信されてきたプリントジョブを受信し、当該プリントジョブを実行する。これによって、ＭＦＰ１による印刷出力処理が実行される。
【００３０】
具体的には、図２の機能ブロック図に示すように、ＭＦＰ１は、画像読取部２、印刷出力部３、通信部４、格納部５、入出力部６およびコントローラ９等を備えており、これらの各部を複合的に動作させることによって、各種の機能を実現する。
【００３１】
画像読取部２は、ＭＦＰ１の所定の位置に載置された原稿を光学的に読み取って、当該原稿の画像データ（原稿画像とも称する）を生成する処理部である。
【００３２】
印刷出力部３は、印刷対象に関するデータに基づいて紙などの各種の媒体に画像を印刷出力する出力部である。
【００３３】
通信部４は、公衆回線等を介したファクシミリ通信を行うことが可能な処理部である。さらに、通信部４は、通信ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１は、所望の相手先との間で各種のデータ（利用情報データ等を含む）を授受することが可能である。また、ＭＦＰ１は、このネットワーク通信を利用することによって、コンピュータ９０からのプリントジョブを受信することなども可能である。
【００３４】
格納部５は、ハードディスクドライブ（ＨＤＤ）等の格納装置で構成される。この格納部５には、画像読取部２等で生成された原稿画像（画像データ）が格納される。また、格納部５においては、コンピュータ９０から送信されてきたプリントジョブが一時的に格納される。
【００３５】
入出力部６は、ＭＦＰ１に対する入力を受け付ける操作入力部６１と、各種情報の表示出力を行う表示部６２とを備えている。詳細には、ＭＦＰ１には操作パネル６３（図１参照）が設けられている。この操作パネル６３は、液晶表示パネルに圧電センサ等が埋め込まれて構成されており、表示部６２の一部として機能するとともに、操作入力部６１の一部としても機能する。
【００３６】
コントローラ９は、ＭＦＰ１に内蔵され、ＭＦＰ１を統括的に制御する制御装置であり、ＣＰＵと、各種の半導体メモリ（ＲＡＭおよびＲＯＭ等）とを備えて構成される。コントローラ９の制御下において各種の処理部が動作することによって、ＭＦＰ１の各種の機能が実現される。例えば、コントローラ９の制御下において、画像読取部２を用いて所望の画像を光学的に読み取ることによって、原稿をスキャニングした画像（原稿画像）が取得され、スキャナ機能が実現される。また、コントローラ９は、次述するような各種の処理をも制御する。
【００３７】
コントローラ９は、コンピュータシステムとして構成され、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。
【００３８】
具体的には、コントローラ９は、印刷制御部１１およびプリントジョブ受付部１３を含む各種の処理部を実現する。
【００３９】
印刷制御部１１は、印刷出力部３の動作等を制御する。
【００４０】
プリントジョブ受付部１３は、コンピュータ９０から送信されてきたプリントジョブを通信部４と協働して受信する。
【００４１】
図３は、コンピュータ９０の機能的構成を示す機能ブロック図である。
【００４２】
コンピュータ９０は、いわゆるパーソナルコンピュータとして構成される。コンピュータ９０は、ＣＰＵおよび半導体メモリ等を備えている。また、コンピュータ９０は、入出力部９９を備えている。入出力部９９は、コンピュータ９０に対する入力を受け付ける操作入力部９９ａと、各種情報の表示出力を行う表示部９９ｂとを有している。たとえば、操作入力部９９ａとしてはキーボードおよびマウス等が設けられ、表示部９９ｂとしては液晶表示装置等が設けられる。
【００４３】
また、コンピュータ９０には、プリンタドライバ（ソフトウエアプログラム）がインストールされており、当該プリンタドライバを用いてＭＦＰ１に対してプリント出力指示を送出することが可能である。
【００４４】
図３に示されるように、コンピュータ９０は、送信制御部９１、受信制御部９２、表示制御部９３、空白ページ削除部９５、メモページ作成部９６およびレイアウト生成部９７等を備えている。
【００４５】
送信制御部９１は、ＭＦＰ１に対してプリントジョブを送信する動作を制御し、受信制御部９２は、ＭＦＰ１からの各種情報（ステータス情報等）を受信する動作を制御する。
【００４６】
表示制御部９３は、コンピュータの表示部９９ｂにおける表示動作を制御する。たとえば、表示制御部９３は、設定画面ＤＧ等をコンピュータ９０の表示部９９ｂに表示する動作を制御する。
【００４７】
空白ページ削除部９５は、印刷対象原稿に含まれる原稿ページの中に空白ページが含まれている場合には、当該空白ページを印刷対象の原稿ページから除外（削除）する処理を実行する。
【００４８】
メモページ作成部９６は、印刷対象原稿内の複数の原稿ページのそれぞれに対応するメモページを作成する処理を実行する。詳細には、後述するように、メモページ作成部９６は、空白ページ削除部９５によって削除された原稿ページを除く、残りの原稿ページのそれぞれに対応するメモページを作成する。
【００４９】
レイアウト生成部９７は、プリントジョブに関する用紙内でのレイアウトを作成する。詳細には、レイアウト生成部９７は、Ｎｉｎ１形式（Ｎ枚の原稿を１枚の用紙に配置する形式）での出力レイアウトなどを作成する。なお、Ｎｉｎ１形式においては、１枚の用紙が複数の区分領域（ページ配置領域とも称する）に区分され、複数のページのそれぞれが縮小されて各区分領域に配置される。
【００５０】
＜１−２．動作＞
図４〜図８は、コンピュータ９０の動作を示すフローチャートである。また、図９〜図１１は、コンピュータ９０のプリンタドライバの設定画面ＤＧ１〜ＤＧ３を示す図である。
【００５１】
任意のアプリケーションプログラム（文書作成アプリケーションプログラム等）において印刷指示が付与されると、コンピュータ９０において、ソフトウエアドライバが当該アプリケーションプログラムから呼び出されて実行される。この結果、コンピュータ９０の表示部９９ｂには図９のような印刷設定ダイアログ（設定画面）ＤＧ１が表示される。
【００５２】
この印刷設定ダイアログＤＧ１は、ページ割付に関する設定項目Ｍ１を有している。具体的には、設定項目Ｍ１に関して、ページ割付機能を有効化するためのチェックボックスＣＢ１と、当該機能の内容を指定するリストボックスＬＢ１とが設けられている。ユーザは、この設定項目Ｍ１に関するチェックボックスＣＢ１とリストボックスＬＢ１とを用いて、ページ割付機能の概要（用紙あたりの割付ページ数Ｎ）を設定することができる。例えば、図９に示すように、ユーザは、マウス操作等によって、チェックボックスＣＢ１にチェック印を付してページ割付機能を有効化するとともに、リストボックスＬＢ１において「４ｉｎ１」を選択して、「用紙１枚あたりに４ページを割り付けること」を指定することができる。
【００５３】
つぎに、ユーザがマウス操作等によって図９のページ割付機能の詳細設定用ボタンＢＮ１を押下すると、コンピュータ９０は、図１０のダイアログ（設定画面）ＤＧ２を表示部９９ｂに表示する。ユーザは、この設定画面ＤＧ２を用いて、ページ割付機能に関するさらに詳細な内容を設定することができる。
【００５４】
設定画面ＤＧ２は、「順序」、「境界」、「メモページ挿入」に関する各設定項目を有している。「順序」は、用紙内における複数のページ配置領域に関する指定配置順序ＲＤに関する設定項目であり、リストボックスＬＢ２２の選択肢を選択することによって当該項目の内容が設定される。「境界」は、各原稿ページに関する境界線（枠等）の有無および当該境界線の種類等に関する設定項目である。また、「メモページ挿入」は、メモページの挿入に関する設定項目Ｍ２４である。当該設定項目Ｍ２４に関しては、メモページを挿入するか否かを設定するチェックボックスＣＢ２４と、当該メモページの位置を指定するリストボックスＬＢ２４とが設けられている。ユーザは、この設定項目Ｍ２４に関するチェックボックスＣＢ２４とリストボックスＬＢ２４とを用いて、メモページ機能の概要を設定することができる。例えば、図１０に示すように、ユーザは、マウス操作等によって、チェックボックスＣＢ２４にチェック印を付してメモページ機能を有効化する（メモページを挿入することを指定する）ことができる。また、ユーザは、マウス操作等によって、リストボックスＬＢ２４において「自動（配置）」を選択して、メモページを自動配置すべき旨を指定することができる。
【００５５】
なお、設定画面ＤＧ２は、右側上部に「用紙当たりのページ割付数Ｎ」に関する設定項目をも有している。設定画面ＤＧ２のリストボックスＬＢ２１と設定画面ＤＧ１のリストボックスＬＢ１とは互いに連動しており、２つのリストボックスＬＢ２１，ＬＢ１は、同じ内容に設定される。そのため、例えば、ユーザは、リストボックスＬＢ２１を用いることによっても、「用紙あたりの割付ページ数Ｎ」を変更することが可能である。
【００５６】
つぎに、ユーザのマウス操作等によって図１０のメモページ機能の詳細設定用ボタンＢＮ２が押下されると、コンピュータ９０は、図１１のダイアログ（設定画面）ＤＧ３を表示部９９ｂに表示する。ユーザは、この設定画面ＤＧ３を用いて、メモページ機能に関するさらに詳細な内容を設定することができる。
【００５７】
設定画面ＤＧ３は、「枠線」、「罫線」、「ページ番号」、「タイトル」、「空白ページ削除」に関する各設定項目を有している。
【００５８】
「枠線」は、メモページに枠線を付するか否かを設定する項目であり、チェックボックスＣＢ３２にチェックを付する（或いは外す）ことによって当該項目の内容が設定される。
【００５９】
「罫線」は、メモページに罫線を付するか否かを設定する項目であり、チェックボックスＣＢ３３にチェックを付する（或いは外す）ことによって当該項目の内容が設定される。
【００６０】
「ページ番号」は、メモページにページ番号を付するか否か、およびページ番号の位置および書式を設定する項目である。チェックボックスＣＢ３４にチェックを付することによって、ページ番号を付することが設定され、チェックボックスＣＢ３４のチェックを外すことによって、ページ番号を付さないことが設定される。また、リストボックスＬＢ３４において、ページ番号の位置および書式に関する選択肢を選択することによって、所望の内容を設定することが可能である。
【００６１】
「タイトル」は、メモページにタイトルを付するか否か、および当該タイトルの内容を設定する設定項目である。チェックボックスＣＢ３５におけるチェック印の有無に応じて、タイトルの有無が設定される。入力欄ＦＢ３５にタイトルの内容を記入することによって、所望のタイトルを設定することが可能である。
【００６２】
「空白ページの削除」は、複数の原稿ページの中に空白ページが含まれる場合に、当該空白ページを印刷対象の原稿ページから除外するか否かを設定する項目である。チェックボックスＣＢ３６にチェックを付することによって、「空白ページを削除する」旨が設定され、チェックボックスＣＢ３６のチェックを外すことによって、「空白ページを削除しない」旨が設定される。
【００６３】
なお、設定画面ＤＧ３は、右側上部に「メモページの位置」に関する設定項目をも有している。設定画面ＤＧ３のチェックボックスＣＢ３１と設定画面ＤＧ２のチェックボックスＣＢ２４とは互いに連動しており、２つのチェックボックスＣＢ３１，ＣＢ２４は、同じ内容に設定される。同様に、設定画面ＤＧ２のリストボックスＬＢ３１と設定画面ＤＧ１のリストボックスＬＢ２４とは互いに連動しており、２つのリストボックスＬＢ３１，ＬＢ２４は、同じ内容に設定される。そのため、例えば、ユーザは、リストボックスＬＢ３１を用いることによっても、「メモページの位置」等を変更することが可能である。
【００６４】
図４に示すように、上記のような印刷設定ダイアログ（設定画面）ＤＧ１，ＤＧ２，ＤＧ３を用いた印刷指定が、ステップＳ１１からステップＳ１４において受け付けられる。その後、ステップＳ１５からステップＳ１７において当該印刷指定に応じてプリントジョブが生成され、生成されたプリントジョブがステップＳ１８においてコンピュータ９０からＭＦＰ１へと送信される。以下では、このような動作について詳細に説明する。
【００６５】
まず、ステップＳ１１において、上記のような設定画面ＤＧ１，ＤＧ２を用いて「Ｎｉｎ１」に関する設定動作が実行される。ここでは、値Ｎは、２，４，６，９，１６の中から選択されて決定されるものとする。例えば、設定画面ＤＧ１のリストボックスＬＢ１、あるいは、設定画面ＤＧ２のリストボックスＬＢ２１の中から、「４ｉｎ１」が選択されることによって、「４」が値Ｎとして選択される。また、「順序」および「境界」などに関する指定動作が実行される。
【００６６】
図１２から図１７は、「メモページ無し」設定での（通常の）「Ｎｉｎ１」形式によるページ配置の例を示す図である。図１２および図１３はＮ＝２の場合を示し、図１４および図１５はＮ＝４の場合を示し、図１６および図１７はＮ＝９の場合を示す。また、図１２、図１４および図１６は、原稿がポートレート原稿の場合、換言すれば、原稿の向きが縦向きの場合を示している。図１３、図１５および図１７は、原稿がランドスケープ原稿の場合、換言すれば、原稿の向きが横向きの場合を示している。
【００６７】
一方、図１８から図２５は、「メモページ有り」設定での「Ｎｉｎ１」形式によるページ配置の例を示す図である。図１８および図１９はＮ＝２の場合を示し、図２０および図２１はＮ＝４の場合を示し、図２２および図２３はＮ＝６の場合を示し、図２４および図２５はＮ＝１６の場合を示す。図１８、図２０、図２２および図２４は、原稿がポートレート原稿の場合、換言すれば、原稿の向きが縦向きの場合を示している。図１９、図２１、図２３および図２５は、原稿がランドスケープ原稿の場合、換言すれば、原稿の向きが横向きの場合を示している。次述するような「メモページの挿入指示」が付与された場合には、図１８〜図２５などのようなレイアウトが作成される。なお、この実施形態では、値Ｎが奇数（「９」）の場合には、メモページを挿入しないものとする。これにより、「１枚の用紙内において原稿ページとメモページとが一対一に対応するレイアウト（後述）」以外のレイアウトが生成されることを回避できる。
【００６８】
ステップＳ１１で設定された値Ｎが「９」以外の値である場合（すなわちＮ＝２，４，６，１６のいずれかの場合）には、ステップＳ１２からステップＳ１３に進み、メモページに関する設定動作が実行される。一方、値Ｎが「９」である場合には、ステップＳ１２から、（ステップＳ１３ではなく）ステップＳ１４に進み、メモページに関する設定動作が行われることなく印刷実行指示が施される。
【００６９】
ステップＳ１３においては、メモページの設定動作が実行される。図５は、ステップＳ１３の詳細動作を示すフローチャートである。
【００７０】
具体的には、まず、ステップＳ３１（図５）において、メモページの挿入設定動作が実行される。例えば、設定画面ＤＧ２のチェックボックスＣＢ２４、あるいは、設定画面ＤＧ３のチェックボックスＣＢ３１において、チェック印が付されることによって、「メモページを挿入する」旨（メモページの挿入指示）が設定される。一方、当該チェックボックスＣＢ３１，ＣＢ２４において、チェック印が付与されないことによって、「メモページを挿入しない」旨（メモページの非挿入指示）が設定される。
【００７１】
ここでは、メモページが挿入される旨が設定されることを前提に説明を続ける。この場合には、次のステップＳ３２において、「位置の表示切替」が実行される。この「位置の表示切替」動作は、プリンタドライバが、設定画面ＤＧ２のリストボックスＬＢ２４、あるいは、設定画面ＤＧ３のリストボックスＬＢ３１において表示される選択肢を切り替える動作である。
【００７２】
この位置の表示切替動作（ステップＳ３２）においては、原稿ページの向きと用紙内におけるページ配置領域の配置数Ｎとの両者の組み合わせに応じて、リストボックスＬＢ２４，ＬＢ３１で表示される選択肢が変更される。具体的には、当該両者の組み合わせに応じて、原稿ページに対するメモページの位置（相対位置）として、設定不可能な選択肢が排除され、設定可能な選択肢が提示される。図６は、ステップＳ３２の詳細動作を示すフローチャートである。
【００７３】
例えば、図６に示すように、値Ｎが「２」であり且つ原稿がポートレート原稿（換言すれば、原稿の向きが縦向き）である場合には、ステップＳ４１からステップＳ４２を経てステップＳ４８に進む。ステップＳ４８では、「自動」、「右」、「左」の３つの選択肢のみが表示対象の選択肢として決定され、ユーザがリストボックスＬＢ３１の右端部分をクリックすると、当該３つの選択肢が一覧表示される。なお、例えば、後述のステップＳ３３においてこれらの選択肢のうちの「右」が選択される場合には、ステップＳ１６（後述）において図１８のようなレイアウトが作成されることになる。図１８では、「２ｉｎ１」において、原稿ページの右側にメモページが配置されたレイアウトが示されている。
【００７４】
また、ステップＳ４８の選択肢提示時においては、「上」、「下」の選択肢（不適切な選択肢）は、当該一覧表示には含まれず、選択対象から除外されている。これによって、ポートレート原稿を「２ｉｎ１」でレイアウトする際に、原稿ページに対して上下方向の少ない余白部分にメモページを配置するような不適切な配置指示が付与されることを回避することができる。
【００７５】
あるいは、値Ｎが「２」であり且つ原稿がランドスケープ原稿（換言すれば、原稿の向きが横向き）である場合には、ステップＳ４１からステップＳ４２を経てステップＳ４９に進む。ステップＳ４９では、「自動」、「下」、「上」の３つの選択肢のみが表示対象の選択肢として決定され、ユーザがリストボックスＬＢ３１の右端部分をクリックすると、当該３つの選択肢が一覧表示される。なお、例えば、後述のステップＳ３３においてこれらの選択肢のうちの「下」が選択される場合には、ステップＳ１６（後述）において図１９のようなレイアウトが作成されることになる。図１９では、「２ｉｎ１」において、原稿ページの下側にメモページが配置されたレイアウトが示されている。
【００７６】
また、ステップＳ４９の選択肢提示時においては、「右」、「左」の選択肢（不適切な選択肢）は、当該一覧表示には含まれず、選択対象から除外されている。これによって、ポートレート原稿を「２ｉｎ１」でレイアウトする際に、原稿ページに対して左右方向の少ない余白部分にメモページを配置するような不適切な配置指示が付与されることを回避することができる。
【００７７】
あるいは、値Ｎが「６」であり且つ原稿がポートレート原稿（換言すれば、原稿の向きが縦向き）である場合には、ステップＳ４１からステップＳ４３，Ｓ４５を経てステップＳ４７に進む。ステップＳ４７では、「自動」、「下」、「上」の３つの選択肢のみが表示対象の選択肢として決定され、ユーザがリストボックスＬＢ３１の右端部分をクリックすると、当該３つの選択肢が一覧表示される。なお、例えば、後述のステップＳ３３においてこれらの選択肢のうちの「下」が選択される場合には、ステップＳ１６（後述）において図２２のようなレイアウトが作成されることになる。図２２では、「６ｉｎ１」において、各原稿ページに対応するメモページが当該各原稿ページの下側にそれぞれ配置されたレイアウトが示されている。
【００７８】
また、ステップＳ４７の選択肢提示時においては、「右」、「左」の選択肢（不適切な選択肢）は、当該一覧表示には含まれず、選択対象から除外されている。これによって、ポートレート原稿を「６ｉｎ１」でレイアウトする際に、原稿ページに対して左右方向にメモページを配置するような不適切な配置指示が付与されることを回避することができる。
【００７９】
あるいは、値Ｎが「６」であり且つ原稿がランドスケープ原稿（換言すれば、原稿の向きが横向き）である場合には、ステップＳ４１からステップＳ４３，Ｓ４５を経てステップＳ４６に進む。ステップＳ４６では、「自動」、「右」、「左」の３つの選択肢のみが表示対象の選択肢として決定され、ユーザがリストボックスＬＢ３１の右端部分をクリックすると、当該３つの選択肢が一覧表示される。なお、例えば、後述のステップＳ３３においてこれらの選択肢のうちの「右」が選択される場合には、ステップＳ１６（後述）において図２３のようなレイアウトが作成されることになる。図２３では、「６ｉｎ１」において、各原稿ページに対応するメモページが当該各原稿ページの右側にそれぞれ配置されたレイアウトが示されている。
【００８０】
また、ステップＳ４６の選択肢提示時においては、「下」、「上」の選択肢（不適切な選択肢）は、当該一覧表示には含まれず、選択対象から除外されている。これによって、ポートレート原稿を「６ｉｎ１」でレイアウトする際に、原稿ページに対して上下方向にメモページを配置するような不適切な配置指示が付与されることを回避することができる。
【００８１】
あるいは、値Ｎが「４」或いは「１６」である場合には、ステップＳ４１からステップＳ４３を経てステップＳ４４に進む。ステップＳ４４では、「自動」、「右」、「左」、「下」、「上」の５つの選択肢の全てが表示対象の選択肢として決定され、ユーザがリストボックスＬＢ３１の右端部分をクリックすると、当該３つの選択肢が一覧表示される。
【００８２】
例えば、後述のステップＳ３３においてこれらの選択肢のうちの「右」が選択される場合には、ステップＳ１６（後述）において図２０あるいは図２４のようなレイアウトが作成されることになる。図２０においては、各原稿ページに対応するメモページが当該各原稿ページの右側にそれぞれ配置された「４ｉｎ１」形式のレイアウトが示されている。また、図２４においては、各原稿ページに対応するメモページが当該各原稿ページの右側にそれぞれ配置された「１６ｉｎ１」形式のレイアウトが示されている。
【００８３】
また、後述のステップＳ３３においてこれらの選択肢のうちの「下」が選択される場合には、ステップＳ１６（後述）において図２１あるいは図２５のようなレイアウトが作成されることになる。図２１においては、各原稿ページに対応するメモページが当該各原稿ページの下側にそれぞれ配置された「１６ｉｎ１」形式のレイアウトが示されている。また、図２５においては、各原稿ページに対応するメモページが当該各原稿ページの下側にそれぞれ配置された「１６ｉｎ１」形式のレイアウトが示されている。
【００８４】
さらに、後述のステップＳ３３においてこれらの選択肢のうちの「左」が選択される場合には、ステップＳ１６（後述）において図２８のようなレイアウトが作成されることもある。図２８においては、各原稿ページに対応するメモページが当該各原稿ページの左側にそれぞれ配置された「４ｉｎ１」形式のレイアウトが示されている。
【００８５】
同様に、後述のステップＳ３３においてこれらの選択肢のうちの「上」が選択される場合には、ステップＳ１６（後述）において図２９のようなレイアウトが作成されることもある。図２９においては、各原稿ページに対応するメモページが当該各原稿ページの上側にそれぞれ配置された「４ｉｎ１」形式のレイアウトが示されている。
【００８６】
ここにおいて、値Ｎが「４」或いは「１６」である場合には、上記の５つの選択肢の中には不適切な選択肢が存在しない。したがって、この場合には、原稿の向きにかかわらず、５つの全ての選択肢が（選択肢の）一覧表示における表示対象として決定される。
【００８７】
以上のように、ステップＳ３２においては、原稿ページの向きと割付ページ数Ｎとの組み合わせに応じて、原稿ページに対するメモページの位置の表示対象選択肢が変更される。詳細には、原稿ページに対するメモページの位置（相対位置）に関して、設定不可能な選択肢が表示対象から排除され、設定可能な選択肢が表示対象として決定され提示（表示）される。
【００８８】
次のステップＳ３３（図５）においては、ステップＳ３２で決定された選択肢の中から、所望の選択肢が選択される。換言すれば、コンピュータ９０は、リストボックスＬＢ３１（図１１）に提示された選択肢を指定対象として、「メモページの位置」に関する指定（設定）を受け付ける。
【００８９】
また、ステップＳ３４においては「枠線」に関する設定が行われる。具体的には、チェックボックスＣＢ３２（図１１）にチェック印が付されると、枠線を付与する旨が指示されたものとみなされる。逆に、チェックボックスＣＢ３２のチェック印が外されると、枠線を付与しない旨が指示されたものとみなされる。
【００９０】
同様に、ステップＳ３５においては、「罫線」に関する設定がチェックボックスＣＢ３３を用いて行われる。
【００９１】
また、ステップＳ３６においては「ページ番号」に関する設定が、チェックボックスＣＢ３４およびリストボックスＬＢ３４を用いて行われる。
【００９２】
さらに、ステップＳ３７においては「タイトル」に関する設定がチェックボックスＣＢ３５および入力欄ＦＢ３５を用いて行われ、ステップＳ３８においては「空白ページの削除」に関する設定がチェックボックスＣＢ３６を用いて行われる。
【００９３】
なお、図３０は、「２ｉｎ１」形式でのメモページの一例を示す図である。図３０においては、「枠線有り」、「罫線有り」、「ページ番号有り（中央）」、「タイトル有り」の各設定がなされた場合に生成されるレイアウトが示されている。このような設定がなされた場合には、ステップＳ６９（後述）において、図３０に示すように、用紙内左側の原稿ページに対応して用紙内右側に配置されるメモページにおいて、枠線ＦＲ、罫線ＲＬ、ページ番号ＰＮ、タイトルＴＬがそれぞれ付加される。
【００９４】
上記のような設定動作が行われ、各設定画面ＤＧ３，ＤＧ２で順次にＯＫボタンが押下されると、画面ＤＧ１に戻る。さらに、画面ＤＧ１においてＯＫボタンがさらに押下されると、各種の設定項目の内容が確定され、ユーザからの印刷実行指令が付与されたものとみなされる（ステップＳ１４（図４））。
【００９５】
このように、画面ＤＧ１〜ＤＧ３を用いることによって、メモページ挿入指定を含む印刷指定が受け付けられる。特に、画面ＤＧ２等を用いることによって、Ｎｉｎ１に関する設定動作が行われ（ステップＳ１１等）、画面ＤＧ３等を用いることによって、メモページ挿入指定に関する設定動作が行われる（ステップＳ１３等）。
【００９６】
次のステップＳ１５以降においては、ステップＳ１４までの印刷指定内容に応じて、プリントジョブが生成される。
【００９７】
まず、ステップＳ１５において、「メモページの挿入」に関する設定内容に応じて分岐処理が実行される。「メモページ」を挿入しない旨が指定（設定）されているときには、ステップＳ１７に進む。ステップＳ１７においては、通常の「Ｎｉｎ１」形式でのレイアウト処理が実行される。一方、「メモページ」を挿入する旨が指定（設定）されているときには、ステップＳ１６に進む。ステップＳ１６においては、メモページを付加した状態でレイアウト処理が実行される。ここでは、ステップＳ１７の処理の説明を省略し、ステップＳ１６の処理について詳細に説明する。
【００９８】
図７は、ステップＳ１６の詳細動作を示すフローチャートである。
【００９９】
ステップＳ６１において、「メモページの位置」に関して「自動」以外の選択肢（例えば、「下」、「右」等）が設定されている場合には、ステップＳ６３に進む。一方、「メモページの位置」に関して「自動」が設定されている場合にはステップＳ６２に進む。
【０１００】
ステップＳ６２においては、コンピュータ９０がメモページの位置を自動的に決定する。
【０１０１】
図８は、ステップＳ６２の詳細動作を示すフローチャートである。ステップＳ６２においては、用紙内の複数のページ配置領域に関する指定配置順序ＲＤにしたがって、各原稿ページに対するメモページの位置が自動的に決定される。
【０１０２】
例えば、図８に示すように、値Ｎが「２」であり且つ原稿がポートレート原稿（換言すれば、原稿の向きが縦向き）である場合には、ステップＳ７１からステップＳ７２を経てステップＳ７３に進む。ステップＳ７３では、用紙内における複数のページ配置領域に関する指定配置順序ＲＤに応じた分岐処理が実行される。
【０１０３】
ここで、配置順序ＲＤは、設定画面ＤＧ２（図１０）のリストボックスＬＢ２２で指定された値であり、次の８つの値ＲＤ１〜ＲＤ８のいずれかである。
【０１０４】
具体的には、
値ＲＤ１は「左から右」を示し、
値ＲＤ２は「右から左」を示し、
値ＲＤ３は「上から下」を示し、
値ＲＤ４は「下から上」を示し、
値ＲＤ５は「左上から横方向」を示し、
値ＲＤ６は「左上から縦方向」を示し、
値ＲＤ７は「右上から横方向」を示し、
値ＲＤ８は「右上から縦方向」を示す。
【０１０５】
詳細には、配置順序ＲＤは、値Ｎが「２」の場合には値ＲＤ１〜ＲＤ４のいずれかであり、値Ｎが「２」以外（例えば４，６，１６）の場合には値ＲＤ５〜ＲＤ８のいずれかである。
【０１０６】
特に、値Ｎが「２」であり且つ原稿がポートレート原稿の場合には、配置順序ＲＤは値ＲＤ１，ＲＤ２のいずれかである。
【０１０７】
ステップＳ７３において、配置順序ＲＤが値ＲＤ１であるときには、メモページの位置が「右」に決定される（ステップＳ７４）（図１８参照）。一方、配置順序ＲＤが値ＲＤ２であるときには、メモページの位置が「左」に決定される（ステップＳ７５）（図２６参照）。これによれば、原稿ページと当該原稿ページに対応するメモページとをこの順序で配置することができる。すなわち、原稿ページをメモページよりも先に配置すること、換言すれば、メモページを原稿ページの次に配置することができる。
【０１０８】
また、値Ｎが「２」であり且つ原稿がランドスケープ原稿（換言すれば、原稿の向きが横向き）である場合には、ステップＳ７１からステップＳ７２を経てステップＳ７６に進む。値Ｎが「２」であり且つ原稿がランドスケープ原稿の場合には、配置順序ＲＤは値ＲＤ３，ＲＤ４のいずれかである。ステップＳ７６では、用紙内における複数のページ配置領域に関する指定配置順序ＲＤに応じた分岐処理が実行される。
【０１０９】
ステップＳ７６において、配置順序ＲＤが値ＲＤ３であるときには、メモページの位置が「下」に決定される（ステップＳ７７）（図１９参照）。一方、配置順序ＲＤが値ＲＤ４であるときには、メモページの位置が「上」に決定される（ステップＳ７８）（図２７参照）。これによれば、原稿ページと当該原稿ページに対応するメモページとをこの順序で配置することができる。
【０１１０】
同様に、値Ｎが「６」であり且つ原稿がポートレート原稿（換言すれば、原稿の向きが縦向き）である場合には、ステップＳ７１からステップＳ７９，Ｓ８０を経てステップＳ８１に進む。値Ｎが「６」であり且つ原稿がポートレート原稿の場合には、配置順序ＲＤは値ＲＤ５〜ＲＤ８のいずれかである。配置順序ＲＤは値ＲＤ５〜ＲＤ８のいずれの場合でも、用紙内におけるページは上側（左上もしくは右上）から始まるため、ステップＳ８１では、メモページの位置が「下」に決定される。これによれば、図２２に示すように、各原稿ページを上段に配置し、当該各原稿ページに対応する各メモページを下段に配置することができる。
【０１１１】
同様に、値Ｎが「６」であり且つ原稿がランドスケープ原稿（換言すれば、原稿の向きが横向き）である場合には、ステップＳ７１からステップＳ７９，Ｓ８０を経てステップＳ８２に進む。なお、値Ｎが「６」であり且つ原稿がランドスケープ原稿の場合には、配置順序ＲＤは値ＲＤ５〜ＲＤ８のいずれかである。
【０１１２】
ステップＳ８２では、指定配置順序ＲＤに応じた分岐処理が実行される。
【０１１３】
具体的には、指定配置順序ＲＤが値ＲＤ５あるいは値ＲＤ６であるときには、メモページの位置が「右」に決定される（ステップＳ８３）。これによれば、図２３に示すように、各原稿ページを左側に配置し、当該各原稿ページに対応する各メモページを右側に配置することができる。
【０１１４】
一方、配置順序ＲＤが値ＲＤ７あるいは値ＲＤ８であるときには、逆に、メモページの位置が「左」に決定される（ステップＳ８４）。これによれば、図２３とは逆に、各原稿ページを右側に配置し、当該各原稿ページに対応する各メモページを左側に配置することができる。
【０１１５】
また、値Ｎが「４」或いは「１６」である場合には、ステップＳ７１からステップＳ７９を経てステップＳ８５に進む。ステップＳ８５では、指定配置順序ＲＤに応じた分岐処理が実行される。
【０１１６】
配置順序ＲＤが値ＲＤ５あるいは値ＲＤ７であるときには、メモページの位置が「下」に決定される（ステップＳ８６）。これによれば、図２１（あるいは図２５）に示すように、各原稿ページを上側に配置し、且つ、当該各原稿ページに対応する各メモページを当該各原稿ページの下側にそれぞれ配置することができる。
【０１１７】
また、配置順序ＲＤが値ＲＤ６であるときには、メモページの位置が「右」に決定される（ステップＳ８７，Ｓ８８）。これによれば、図２０（あるいは図２４）等に示すように、各原稿ページを左側に配置し、且つ、当該各原稿ページに対応する各メモページを当該各原稿ページの右側にそれぞれ配置することができる。
【０１１８】
さらに、配置順序ＲＤが値ＲＤ８であるときには、メモページの位置が「左」に決定される（ステップＳ８７，Ｓ８９）。これによれば、図２０（あるいは図２４）とは逆に、各原稿ページを右側に配置し、且つ、当該各原稿ページに対応する各メモページを当該各原稿ページの左側にそれぞれ配置することができる。
【０１１９】
以上のようにして、ステップＳ６２におけるメモページ位置の自動決定動作が実行される。
【０１２０】
再び図７を参照する。
【０１２１】
次に、ステップＳ６３において、１枚の用紙内の領域を原稿領域とメモ領域とに分割する処理が実行される。図３１においては、左側に原稿領域ＧＲを配置し、右側にメモ領域ＭＲを配置する場合が示されている。例えば、図２０および図２３などのレイアウト生成時には、図３１に示すような分割処理が実行される。
【０１２２】
ステップＳ６４においては、原稿データに含まれる各原稿ページをそれぞれ「Ｎｉｎ１」印刷に応じた大きさに縮小する。例えば、「２ｉｎ１」では約７０％に、「４ｉｎ１」では約５０％に縮小する。
【０１２３】
ステップＳ６５においては、「空白ページを削除する」旨が設定されているか否かに応じた分岐処理が実行される。具体的には、設定画面ＤＧ３のチェックボックスＣＢ３６（図１１）にチェック印が付されていない場合には、「空白ページを削除しない」旨が設定されているものと判定して、ステップＳ６５からステップＳ６８に進む。
【０１２４】
一方、ステップＳ３８（図５）等において設定画面ＤＧ３のチェックボックスＣＢ３６にチェック印が付されている場合には、「空白ページを削除する」旨が設定されているものと判定して、ステップＳ６５からステップＳ６６に進む。
【０１２５】
ステップＳ６６では、印刷対象原稿（原稿データ）内に空白ページ（白紙ページ）が含まれている場合には、当該空白ページが印刷対象ページから除外される。例えば、図３２に示すように第１原稿ページの次の第２原稿ページが空白ページである場合を想定する。この場合には、図３３に示すように、当該第２原稿ページを印刷対象から除外（暫定的に削除）して、当該第２原稿ページの次の第３原稿ページを新たな第２原稿ページとする。同様に原稿データに含まれる空白ページを印刷対象ページから全て除外する。
【０１２６】
ステップＳ６７においては、空白ページが削除された後の全原稿ページ数が再計算される。例えば、全１０枚のうち、２枚の空白ページが削除される場合には、全原稿ページ数は８枚に更新される。
【０１２７】
ステップＳ６８においては、各原稿ページに対応する各メモページが作成される。具体的には、全ての原稿ページのそれぞれに対応するメモページが作成される。たとえば、１０枚の原稿ページが存在する場合には、合計１０枚のメモページが作成される。ただし、ステップＳ６６において空白ページが削除されている場合には、再計算（ステップＳ６７）後の全ページ数に応じた数のメモページが作成される。例えば、２枚の空白ページが削除されていた場合には、残りの８枚の原稿ページのそれぞれに対してメモページが作成され、合計８枚のメモページが作成される。すなわち空白ページが印刷対象から除外された状態で、原稿データ内の複数の原稿ページに対応するメモページが作成される。また、次述するステップＳ６９においては、空白ぺージが除外された複数の原稿ぺージに関して、対応する各メモページが配置される。
【０１２８】
また、これらのメモページは、それぞれ、原稿ページと同じ大きさを有している。具体的には、各メモページは、それぞれ、「Ｎｉｎ１」印刷に応じた大きさに縮小された状態で生成される。例えば、各メモページは、「２ｉｎ１」では本来（１ｉｎ１）の大きさの約７０％に縮小され、「４ｉｎ１」では本来の大きさの約５０％に縮小される。
【０１２９】
ステップＳ６９においては、用紙内に複数のページを縮小して配置するレイアウト（いわゆる「Ｎｉｎ１」形式のレイアウト）が生成される。詳細には、用紙内の複数のページ配置領域において各原稿ページと各メモページとを一対一に対応させて配置したレイアウトが作成される。より具体的には、値Ｎなどの各種の設定内容に応じて、図１８〜図２９などに示すような各種のレイアウトが作成される。
【０１３０】
例えば、図２０に示すように、用紙内の４つのページ配置領域ＲＧ１〜ＲＧ４において、各原稿ページＰＧ１，ＰＧ２と各メモページＰＭ１，ＰＭ２とを一対一に対応させて配置したレイアウトが作成される。
【０１３１】
具体的には、複数のページ配置領域ＲＧ１〜ＲＧ４が原稿領域ＧＲ（図３１も参照）とメモ領域ＭＲとに分類される。詳細には、ページ配置領域ＲＧ１，ＲＧ３が（左側の）原稿領域ＧＲに分類され、ページ配置領域ＲＧ２，ＲＧ４が（右側の）メモ領域ＭＲに分類される。そして、原稿領域ＧＲ内のページ配置領域ＲＧ１，ＲＧ３に各原稿ページＰＧ１，ＰＧ２が配置される。また、メモ領域ＭＲ内のページ配置領域ＲＧ２，ＲＧ４において、各原稿ページＰＧ１，ＰＧ２に対応する隣接位置に各メモページＰＭ１，ＰＭ２が配置される。詳細には、第１の原稿ページＰＧ１と第２の原稿ページＰＧ２とが用紙内の左側領域（原稿領域ＧＲ）において縦に配置される。また、第１のメモページＰＭ１と第２のメモページＰＭ２とが用紙内の右側領域（メモ領域ＭＲ））において縦に配置される。詳細には、ページ配置領域ＲＧ１に原稿ページＰＧ１が配置されており、当該ページ配置領域ＲＧ１の右側に隣接するページ配置領域ＲＧ２に、メモページＰＭ１が配置されている。また、ページ配置領域ＲＧ１の下側のページ配置領域ＲＧ３に原稿ページＰＧ２が配置されており、当該ページ配置領域ＲＧ３の右側に隣接するページ配置領域ＲＧ４に、メモページＰＭ２が配置されている。すなわち、原稿ページＰＧ１に関するメモページＰＭ１が、原稿ページＰＧ１に対応する右側位置（隣接位置）に配置されており、且つ、原稿ページＰＧ２に関するメモページＰＭ２が、原稿ページＰＧ２に対応する右側位置（隣接位置）に配置されている。
【０１３２】
このように、各原稿ページＰＧ１，ＰＧ２と各メモページＰＭ１，ＰＭ２とが一対一に対応して（隣接して）配置されたレイアウトが生成される。
【０１３３】
なお、ステップＳ６９においては、複数の原稿ページから空白ページを除外した状態で、各原稿ページと各メモページとを一対一に対応させて用紙内に配置するレイアウトが生成される。これにより、不要な空白ページが印刷対象から適切に排除されるとともに、不要なメモページも印刷対象から適切に排除される。
【０１３４】
再び図４を参照する。
【０１３５】
その後、ステップＳ１８においては、ステップＳ１６あるいはステップＳ１７で生成されたレイアウトに基づいてプリントジョブが生成され、当該プリントジョブがコンピュータ９０からＭＦＰ１に向けて送信される。
【０１３６】
一方、ＭＦＰ１は、当該プリントジョブを受信すると、当該プリントジョブに応じた印刷出力動作を実行する。これにより、「Ｎｉｎ１」形式によるメモページ付きの印刷出力物を得ることが可能である。
【０１３７】
以上のように、上記実施形態によれば、用紙内の複数のページ配置領域において、複数の原稿ページのそれぞれと当該複数の原稿ページのそれぞれに対応する各メモページとを隣接して配置したレイアウトが生成される。
【０１３８】
より具体的には、各原稿ページ（第ｉ原稿ページ）に対応する各メモページ（第ｉメモページ）が生成される（ｉ＝１，２，...）。そして、各メモページ（第ｉメモページ）が、当該各メモページに対応する原稿ページ（「対応原稿ページ」とも称する）（第ｉ原稿ページ）にそれぞれ隣接して配置される。詳細には、まず、複数のページ配置領域が原稿領域ＧＲとメモ領域ＭＲとに分類される。そして、各原稿ページが原稿領域ＧＲ内のページ配置領域に配置されるとともに、各メモページが、メモ領域ＭＲ内のページ配置領域であって各対応原稿ページの隣接位置（縦方向位置あるいは横方向位置）のページ配置領域に配置される。このように、各原稿ページと各メモページとが一対一に対応して用紙内に配置される。
【０１３９】
したがって、ユーザの要望を満たすことが可能である。特に、Ｎｉｎ１の形式において、各原稿ページに対してそれぞれメモページを配置したいという要求に応えることが可能である。
【０１４０】
＜２．第２実施形態＞
上記第１実施形態においては、「Ｎｉｎ１」印刷において、メモページを設ける場合を例示したが、この第２実施形態においては、「小冊子」印刷において、メモページを設ける場合を例示する。以下では、第１実施形態との相違点を中心に説明する。
【０１４１】
第２実施形態においては、レイアウト生成部９７（図３）は、小冊子形式での出力レイアウトを生成する。また、レイアウト生成部９７は、メモページを付加した小冊子形式でのレイアウトを生成する。より具体的には、レイアウト生成部９７は、小冊子印刷における複数のページ配置領域において各メモページと当該各メモページに対応する各原稿ページとを小冊子における見開き範囲内にて隣接して配置したレイアウトを生成する。
【０１４２】
図３５から図３８は、コンピュータ９０の第２実施形態に係る動作を示すフローチャートである。また、図３９および図４０は、コンピュータ９０のプリンタドライバの設定画面ＤＧ２１，ＤＧ２３を示す図であり、図４１は、小冊子印刷におけるページ配置の一例を示す図である。
【０１４３】
図３９の設定画面ＤＧ２１に示すように、右側上部の「印刷種類」の設定項目において「小冊子」が選択されると、小冊子印刷に関する印刷指定を行うことができる。これにより、例えば、図４１、図４３〜図４６に示すような小冊子印刷が実行される。これらの図においては、２枚の印刷用紙に５ページ以上８ページ以下のページを出力する場合が示されている。詳細には、１枚の用紙には、表裏面にそれぞれ２ページずつ（両面合計で４ページ）が配置される。また、２枚の用紙における複数（８つ）のページ配置領域ＰＬ１〜ＰＬ８は、所定のページ配置順序を有している。具体的には、ページ配置領域ＰＬ１が第１順位の配置順序を有しており、ページ配置領域ＰＬ２が第２順位の配置順序を有している。以下、同様に、ページ配置領域ＰＬｎが第ｎ順位の配置順序を有している。
【０１４４】
図３５に示すように、まず、ステップＳ１１１において図３９の設定画面ＤＧ２１を用いて、小冊子印刷が指定されると、次にメモページに関する設定動作が行われる（ステップＳ１１３）。
【０１４５】
図３６は、ステップＳ１１３の処理を示す図である。図３６の動作は、図５の動作とほぼ同様である。ただし、ステップＳ１３２におけるメモページ位置の表示切替動作においては、図３７のような動作が実行される。ステップＳ１３２の動作は、設定画面ＤＧ２３のリストボックスＬＢ３１等において表示される選択肢を切り替える動作である。
【０１４６】
図３７に示すように、原稿がポートレート原稿であるときには、「自動」もしくは「右」のみが表示対象選択肢として決定される（ステップＳ１４１，Ｓ１４３）。一方、原稿がランドスケープ原稿であるときには、「自動」もしくは「下」のみが表示対象選択肢として決定される（ステップＳ１４１，Ｓ１４２）。
【０１４７】
以上のように、ステップＳ３２においては、原稿ページの向きに応じて、原稿ページに対するメモページの位置の表示対象選択肢が変更される。
【０１４８】
ステップＳ３３（図３６）からステップＳ３８においては、図５と同様の動作が実行される。
【０１４９】
再び図３５を参照する。
【０１５０】
設定画面ＤＧ２１，ＤＧ２３等を用いた種々の設定操作が行われた後に画面ＤＧ２１においてＯＫボタンが押下されると、印刷実行指令が付与されたものとみなされ（ステップＳ１１４）、ステップＳ１１５に進む。
【０１５１】
次のステップＳ１１５以降においては、ステップＳ１１４までの印刷指定内容に応じて、プリントジョブが生成される。
【０１５２】
「メモページ」を挿入しない旨が指定（設定）されているときには、ステップＳ１１５からステップＳ１１７に進む。ステップＳ１１７においては、通常の「小冊子」形式でのレイアウト処理が実行される。一方、「メモページ」を挿入する旨が指定（設定）されているときには、ステップＳ１１５からステップＳ１１６に進み、メモページの挿入動作が実行され、その後、小冊子形式でのレイアウト処理（ステップＳ１１７）が実行される。
【０１５３】
その後、ステップＳ１１８においては、ステップＳ１１７で生成されたレイアウトに基づいてプリントジョブが生成され、当該プリントジョブがコンピュータ９０からＭＦＰ１に向けて送信される。
【０１５４】
つぎに、図３８を参照しながら、ステップＳ１１６の動作について説明する。図３８は、ステップＳ１１６の詳細動作を示すフローチャートである。
【０１５５】
ステップＳ１６１において、「メモページの位置」に関して「自動」以外の選択肢（例えば、「下」、「右」）が設定されている場合には、ステップＳ１６５に進む。
【０１５６】
一方、「メモページの位置」に関して「自動」が設定されている場合にはステップＳ１６２に進む。そして、原稿がポートレート原稿であるときには「メモページの位置」を「右」に決定し（ステップＳ１６４）、原稿がランドスケープ原稿であるときには「メモページの位置」を「下」に決定する（ステップＳ１６３）。
【０１５７】
次のステップＳ１６５〜Ｓ１６７では、ステップＳ６５〜Ｓ６７と同様の処理が実行される。これにより、原稿データに含まれる空白の原稿ページが印刷対象ページから除外される（図３３参照）。
【０１５８】
また、ステップＳ１６８では、各原稿ページ（空白ページの除外後）に対してそれぞれメモページが作成される。すなわち、空白ページが印刷対象の原稿ページから除外された状態で、当該印刷対象の複数の原稿ページのそれぞれに対応する各メモページが作成される。
【０１５９】
ただし、ここでは、第１ページの原稿ページに対しては、メモページを作成せず、第２ページ以降の各原稿ページに対してのみメモページを作成する。
【０１６０】
たとえば、原稿データに含まれる５枚の原稿ページのうち１枚が空白ページである場合には、当該１枚の空白ページが印刷対象から除外され、残りの４枚の原稿データが印刷対象として決定される。また、当該残りの４枚の原稿データＰＧ１〜ＰＧ４のうち、第２原稿ページＰＧ２から最終原稿ページ（第４原稿ページ）ＰＧ４に対してメモページＰＭ２，ＰＭ３，ＰＭ４がそれぞれ作成される。この結果、合計３枚のメモページＰＭ２，ＰＭ３，ＰＭ４が作成される。
【０１６１】
また、これらのメモページは、それぞれ、原稿ページと同じ大きさを有している。具体的には、各メモページは、それぞれ、小冊子印刷におけるページ配置領域ＰＬ１〜ＰＬ８に応じた大きさ（「Ｎｉｎ１」サイズ）に縮小された状態で生成される。例えば、各メモページは、本来の大きさの約７０％に縮小されて生成される。
【０１６２】
ステップＳ１６９においては、用紙内の複数のページ配置領域において各原稿ページと各メモページとを一対一に対応させて配置したレイアウトを作成（ステップＳ１１７）するため、所定の順序を有する複数の原稿ページにおいて、メモページを挿入する処理が行われる。
【０１６３】
図４２は、このようなメモページの挿入後のページ配列を示す図である。図４２に示すように、最初に第１原稿ページＰＧ１が配列され、次に第２原稿ページＰＧ２が配列される。第１原稿ページＰＧ１と第２原稿ページＰＧ２との間にはメモページは挿入されない。また、第２原稿ページＰＧ２の次には、メモページ（第２原稿ページに対応するメモページであるため、第２メモページとも称する）ＰＭ２が配列される。さらに、第２メモページＰＭ２の次に第３原稿ページＰＧ３が配列され、第３原稿ページＰＧ３の次に第３メモページＰＭ３が配列される。以降、第４原稿ページＰＧ４、第４メモページＰＭ４が続いて配列される。このようにして、合計７枚のページが図４２に示す順序で配列される。
【０１６４】
その後、小冊子処理が行われ、図４３〜図４６に示すようなレイアウトが生成される（ステップＳ１１７）。
【０１６５】
具体的には、ステップＳ１６９で配列された複数のページ（原稿ページおよびメモページ）がページ配置領域ＰＬ１〜ＰＬ８（図４１）に対して小冊子印刷における規定の順序で配置される。詳細には、まず、第１原稿ページＰＧ１がページ配置領域ＰＬ１に配置される。その後、この第１原稿ページＰＧ１の配置に引き続いて、第２原稿ページ以降の各原稿ページ（最終原稿ページまでの原稿ページ）に関して、当該各原稿ページと当該各原稿ページに対応する各メモページとが複数のページ配置領域ＰＬ２〜ＰＬ７に交互に配置される。この結果、ページＰＧ１，ＰＧ２，ＰＭ２，ＰＧ３，ＰＭ３，ＰＧ４，ＰＭ４が、この順序で、各ページ配置領域ＰＬ１〜ＰＬ７に配置される（図４１、および図４３〜図４６参照）。
【０１６６】
より詳細には、第１原稿ページＰＧ１が、用紙１枚目のおもて面右側のページ配置領域ＰＬ１に配置される。また、第２原稿ページＰＧ２が、用紙１枚目の裏面左側のページ配置領域ＰＬ２に配置される。さらに、第２メモページＰＭ２が、用紙２枚目のおもて面右側のページ配置領域ＰＬ３に配置される。次に、第３原稿ページＰＧ３が用紙２枚目の裏面左側のページ配置領域ＰＬ４に配置され、第３メモページＰＭ３が用紙２枚目の裏面右側のページ配置領域ＰＬ５に配置される。そして、第４原稿ページＰＧ４が用紙２枚目のおもて面左側のページ配置領域ＰＬ６に配置され、第４メモページＰＭ４が用紙１枚目の裏面右側のページ配置領域ＰＬ７に配置される。用紙１枚目のおもて面右側のページ配置領域ＰＬ８にはページが配置されない。
【０１６７】
特に、第１原稿ページＰＧ１が表紙ページである場合には、上記のような配列によって、表紙以外の第２原稿ページＰＧ２以降のページに対して、メモページをそれぞれ設けることが可能である。なお、第１原稿ページＰＧ１が表紙ページであるか否かにかかわらず、ページ配置領域ＰＬ８は、原稿ページＰＧ１に対応するメモページとして利用することも可能である。
【０１６８】
このようなレイアウトで印刷出力された２枚の用紙を、重ねて、長辺方向の中央で折り畳み、当該中央の折り線に沿って綴じることによって、小冊子を作成することが可能である。
【０１６９】
小冊子に整えられた状態（小冊子形成状態）においては、ページ配置領域ＰＬ２の第２原稿ページＰＧ２とページ配置領域ＰＬ３の第２メモページＰＭ２とは見開き範囲内に存在する（図４１参照）。同様に、ページ配置領域ＰＬ４の第３原稿ページＰＧ３とページ配置領域ＰＬ５の第３メモページＰＭ３とは見開き範囲内に存在し、ページ配置領域ＰＬ６の第４原稿ページＰＧ４とページ配置領域ＰＬ７の第４メモページＰＭ４とは見開き範囲内に存在する。
【０１７０】
このように、原稿ページと当該原稿ページに対応するメモページとを小冊子の見開き２ページ内に配置することができる。端的に言えば、各原稿ページと当該各原稿ページに対応する各メモページとを、小冊子における見開き範囲内に配置することが可能である。詳細には、第２原稿ページＰＧ２以降の各ページに関する各メモページ（ＰＭ２，ＰＭ３，ＰＭ４）を、当該各メモページに対応する原稿ページ（ＰＧ２，ＰＧ３，ＰＧ４）に隣接する位置に配置することができる。また特に、見開きの左右両側に原稿ページとメモページとがそれぞれ配置されるので、原稿ページとメモページとの対応関係が非常に判りやすく、非常に有用である。
【０１７１】
なお、チェックボックスＣＢ３６（図４０）にチェック印が付され且つ印刷対象文書に空白ページが含まれる場合には、当該空白ページが印刷対象の原稿ページから除外された状態で、ステップＳ１１７の処理が実行される。これにより、不要な空白ページが印刷対象から適切に排除されるとともに、不要なメモページも印刷対象から適切に排除される。
【０１７２】
以上のように、上記第２実施形態によれば、小冊子印刷における複数のページ配置領域において各原稿ページと各メモページとを一対一に対応させて配置したレイアウトが生成される。詳細には、まず、第１原稿ページＰＧ１が最初のページ配置領域ＰＬ１に配置される。また、第２原稿ページ以降の各原稿ページＰＧ２，ＰＧ３，ＰＧ４に対して各メモページＰＭ２，ＰＭ３，ＰＭ４がそれぞれ作成される。そして、各原稿ページＰＧ２，ＰＧ３，ＰＧ４の直後に各原稿ページに対応する各メモページＰＭ２，ＰＭ３，ＰＭ４がそれぞれ挿入されることによって、複数のページが再配列される。さらに、再配列後の複数のページＰＧ２，ＰＭ２，ＰＧ３，ＰＭ３，ＰＧ４，ＰＭ４が小冊子印刷におけるページ配置順序にしたがって、各ページ配置領域ＰＬ２〜ＰＬ７に配置される。換言すれば、小冊子印刷における複数のページ配置領域ＰＬ２〜ＰＬ７に関するページ配置順序にしたがって、第２原稿ページ以後の各原稿ページＰＧ２，ＰＧ３，ＰＧ４と当該各原稿ページに対応する各メモページＰＭ２，ＰＭ３，ＰＭ４とが交互に複数のページ配置領域ＰＬ２〜ＰＬ７に対して配置される。これによって、各原稿ページと各メモページとが一対一に対応して用紙内に配置される。したがって、特に、小冊子形式において、各原稿ページに対してそれぞれメモページを配置したいという要求に応えること、すなわちユーザの要望を満たすことが可能である。
【０１７３】
＜３．その他＞
以上、この発明の実施の形態について説明したが、この発明は上記説明した内容のものに限定されるものではない。
【０１７４】
たとえば、上記第２実施形態においては、１枚の用紙の片面に２つのページを配置する小冊子印刷（２ｉｎ１形式での小冊子印刷）を例示したが、これに限定されない。
【０１７５】
具体的には、１枚の用紙の片面に４つのページを配置する小冊子印刷（４ｉｎ１形式での小冊子印刷）を行うことも可能である。具体的には、図４７〜図５０に示すように、ランドスケープ原稿に関して、各原稿ページの下側に、メモページをそれぞれ配置するようにしてもよい。この場合には、第１ページの原稿ページを含む全ての原稿ページ（例えばＰＧ１〜ＰＧ８）に対してメモページ（ＰＭ１〜ＰＭ８）を作成し、各メモページ（ＰＭ１〜ＰＭ８）を、当該各メモページに対応する各原稿ページ（ＰＧ１〜ＰＧ８）の下側にそれぞれ隣接して配置するようにすればよい。詳細には、小冊子印刷における複数のページ配置領域ＰＬ１〜ＰＬ１６に関するページ配置順序にしたがって、各原稿ページＰＧ１〜ＰＧ８と各メモページＰＭ１〜ＰＭ８とを交互に複数のページ配置領域ＰＬ１〜ＰＬ１６に配置するようにすればよい。すなわち、ページＰＧ１，ＰＭ１，ＰＧ２，ＰＭ２，ＰＧ３，ＰＭ３，ＰＧ４，ＰＭ４，...，ＰＧ８，ＰＭ８をこの順序で、複数のページ配置領域ＰＬ１〜ＰＬ１６に配置するようにすればよい。
【０１７６】
あるいは、同様に、図５１〜図５４に示すように、ポートレート原稿に関して、各原稿ページの右側にメモページをそれぞれ配置する「４ｉｎ１形式での小冊子印刷」を行うようにしてもよい。この場合にも、小冊子印刷における複数のページ配置領域ＰＬ１〜ＰＬ１６に関するページ配置順序にしたがって、各原稿ページＰＧ１〜ＰＧ８と各メモページＰＭ１〜ＰＭ８とを交互に複数のページ配置領域ＰＬ１〜ＰＬ１６に配置するようにすればよい。
【０１７７】
あるいは、同様に、１枚の用紙の片面に１６ページを配置する小冊子印刷（１６ｉｎ１形式での小冊子印刷）を行うようにしてもよい。
【０１７８】
また、小冊子印刷（特に４ｉｎ１あるいは１６ｉｎ１等）において、ポートレート原稿に関して、各原稿ページの左側にメモページをそれぞれ配置するようにしてもよい。同様に、小冊子印刷（特に４ｉｎ１あるいは１６ｉｎ１等）において、ランドスケープ原稿に関して、各原稿ページの上側にメモページをそれぞれ配置するようにしてもよい。
【０１７９】
また、上記各実施形態においては、コンピュータ９０側でレイアウトを生成する場合を例示したが、これに限定されない。例えば、ＭＦＰ１側でレイアウトを生成するようにしてもよい。詳細には、メモページ挿入指定を含む印刷指定を操作パネル６３において受け付けるとともに、空白ページ削除部９５、メモページ作成部９６およびレイアウト生成部９７による処理と同様の処理をＭＦＰ１内のコントローラ９において実行するようにしてもよい。そして、コントローラ９により生成されたレイアウトに関するプリントジョブを実行して、ＭＦＰ１の印刷出力部３によって印刷出力物を得るようにしてもよい。
【図面の簡単な説明】
【０１８０】
【図１】プリントシステムの構成を示す概略図である。
【図２】ＭＦＰの機能的構成を示すブロック図である。
【図３】コンピュータの機能的構成を示すブロック図である。
【図４】コンピュータの動作を示すフローチャートである。
【図５】コンピュータの動作を示すフローチャートである。
【図６】コンピュータの動作を示すフローチャートである。
【図７】コンピュータの動作を示すフローチャートである。
【図８】コンピュータの動作を示すフローチャートである。
【図９】プリンタドライバの設定画面を示す図である。
【図１０】プリンタドライバの設定画面を示す図である。
【図１１】プリンタドライバの設定画面を示す図である。
【図１２】「２ｉｎ１」のレイアウト例を示す図である（ポートレート原稿）。
【図１３】「２ｉｎ１」のレイアウト例を示す図である（ランドスケープ原稿）。
【図１４】「４ｉｎ１」のレイアウト例を示す図である（ポートレート原稿）。
【図１５】「４ｉｎ１」のレイアウト例を示す図である（ランドスケープ原稿）。
【図１６】「９ｉｎ１」のレイアウト例を示す図である（ポートレート原稿）。
【図１７】「９ｉｎ１」のレイアウト例を示す図である（ランドスケープ原稿）。
【図１８】メモページ付き「２ｉｎ１」形式のレイアウト例を示す図である（ポートレート原稿）。
【図１９】メモページ付き「２ｉｎ１」形式のレイアウト例を示す図である（ランドスケープ原稿）。
【図２０】メモページ付き「４ｉｎ１」形式のレイアウト例を示す図である（ポートレート原稿）。
【図２１】メモページ付き「４ｉｎ１」形式のレイアウト例を示す図である（ランドスケープ原稿）。
【図２２】メモページ付き「６ｉｎ１」形式のレイアウト例を示す図である（ポートレート原稿）。
【図２３】メモページ付き「６ｉｎ１」形式のレイアウト例を示す図である（ランドスケープ原稿）。
【図２４】メモページ付き「１６ｉｎ１」形式のレイアウト例を示す図である（ポートレート原稿）。
【図２５】メモページ付き「１６ｉｎ１」形式のレイアウト例を示す図である（ランドスケープ原稿）。
【図２６】メモページ付き「２ｉｎ１」形式のレイアウトの別の例を示す図である（ポートレート原稿）。
【図２７】メモページ付き「２ｉｎ１」形式のレイアウトの別の例を示す図である（ランドスケープ原稿）。
【図２８】メモページ付き「４ｉｎ１」形式のレイアウトの別の例を示す図である（ポートレート原稿）。
【図２９】メモページ付き「４ｉｎ１」形式のレイアウトの別の例を示す図である（ランドスケープ原稿）。
【図３０】メモページの詳細を示す図である
【図３１】用紙内における原稿領域とページ領域とを示す図である。
【図３２】原稿データに含まれる元の原稿ページを示す図である。
【図３３】空白ページ除外後の原稿ページを示す図である。
【図３４】作成されたメモページを示す図である。
【図３５】第２実施形態に係るコンピュータの動作を示すフローチャートである。
【図３６】第２実施形態に係るコンピュータの動作を示すフローチャートである。
【図３７】第２実施形態に係るコンピュータの動作を示すフローチャートである。
【図３８】第２実施形態に係るコンピュータの動作を示すフローチャートである。
【図３９】プリンタドライバの設定画面を示す図である。
【図４０】プリンタドライバの設定画面を示す図である。
【図４１】小冊子印刷におけるページ配置領域を示す図である。
【図４２】印刷対象ページの配列順序を示す図である。
【図４３】小冊子印刷における出力結果例を示す図である。
【図４４】小冊子印刷における出力結果例を示す図である。
【図４５】小冊子印刷における出力結果例を示す図である。
【図４６】小冊子印刷における出力結果例を示す図である。
【図４７】小冊子印刷（４ｉｎ１）における出力結果例を示す図である。
【図４８】小冊子印刷（４ｉｎ１）における出力結果例を示す図である。
【図４９】小冊子印刷（４ｉｎ１）における出力結果例を示す図である。
【図５０】小冊子印刷（４ｉｎ１）における出力結果例を示す図である。
【図５１】小冊子印刷（４ｉｎ１）における出力結果例を示す図である。
【図５２】小冊子印刷（４ｉｎ１）における出力結果例を示す図である。
【図５３】小冊子印刷（４ｉｎ１）における出力結果例を示す図である。
【図５４】小冊子印刷（４ｉｎ１）における出力結果例を示す図である。
【符号の説明】
【０１８１】
１  ＭＦＰ
９  コントローラ（コンピュータ）
９０  コンピュータ
１００  プリントシステム
ＢＮ１，ＢＮ２  詳細設定用ボタン
ＣＢ１，ＣＢ２４，ＣＢ３１〜ＣＢ３６  チェックボックス
ＤＧ，ＤＧ１〜ＤＧ３，ＤＧ２１，ＤＧ２３  設定画面
ＧＲ  原稿領域
ＬＢ１，ＬＢ２１，ＬＢ２２，ＬＢ２４，ＬＢ３１，ＬＢ３４  リストボックス
ＭＲ  メモ領域
ＰＧ１〜ＰＧ４  原稿ページ
ＰＬ１〜ＰＬ８  ページ配置領域
ＰＭ１〜ＰＭ４  メモページ
ＲＤ  指定配置順序
【図１】
2010026908.tif 000003
【図２】
2010026908.tif 000004
【図３】
2010026908.tif 000005
【図４】
2010026908.tif 000006
【図５】
2010026908.tif 000007
【図６】
2010026908.tif 000008
【図７】
2010026908.tif 000009
【図８】
2010026908.tif 000010
【図９】
2010026908.tif 000011
【図１１】
2010026908.tif 000012
【図１２】
2010026908.tif 000013
【図１３】
2010026908.tif 000014
【図１４】
2010026908.tif 000015
【図１５】
2010026908.tif 000016
【図１６】
2010026908.tif 000017
【図１７】
2010026908.tif 000018
【図１８】
2010026908.tif 000019
【図１９】
2010026908.tif 000020
【図２０】
2010026908.tif 000021
【図２１】
2010026908.tif 000022
【図２２】
2010026908.tif 000023
【図２３】
2010026908.tif 000024
【図２４】
2010026908.tif 000025
【図２５】
2010026908.tif 000026
【図２６】
2010026908.tif 000027
【図２７】
2010026908.tif 000028
【図２８】
2010026908.tif 000029
【図２９】
2010026908.tif 000030
【図３０】
2010026908.tif 000031
【図３１】
2010026908.tif 000032
【図３２】
2010026908.tif 000033
【図３３】
2010026908.tif 000034
【図３４】
2010026908.tif 000035
【図３５】
2010026908.tif 000036
【図３６】
2010026908.tif 000037
【図３７】
2010026908.tif 000038
【図３８】
2010026908.tif 000039
【図４０】
2010026908.tif 000040
【図４１】
2010026908.tif 000041
【図４２】
2010026908.tif 000042
【図４３】
2010026908.tif 000043
【図４４】
2010026908.tif 000044
【図４５】
2010026908.tif 000045
【図４６】
2010026908.tif 000046
【図４７】
2010026908.tif 000047
【図４８】
2010026908.tif 000048
【図４９】
2010026908.tif 000049
【図５０】
2010026908.tif 000050
【図５１】
2010026908.tif 000051
【図５２】
2010026908.tif 000052
【図５３】
2010026908.tif 000053
【図５４】
2010026908.tif 000054
【図１０】
2010026908.tif 000055
【図３９】
2010026908.tif 000056